(57)【特許請求の範囲】
【請求項１】
レンズを備えた移動レンズ体と、前記移動レンズ体をレンズ光軸方向に移動可能に支持する固定体と、前記移動レンズ体をレンズ光軸方向に移動させる駆動機構と、を有するレンズ駆動装置において、
前記駆動機構は、前記移動レンズ体に保持されたコイルと、前記固定体に保持されたマグネットと、前記移動レンズ体と前記固定体との間に取り付けられ、前記移動レンズ体が静止位置から被写体側に移動しようとしたときに当該移動に抗する弾性力を前記移動レンズ体に印加する弾性部材と、前記マグネットより被写体が位置する側で前記移動レンズ体に保持された磁性部材と、を備え、
前記コイルに電流を供給して前記移動レンズ体を前記静止位置から被写体側に移動させる電磁力を発生させたときに当該電磁力と前記弾性力とが釣り合って前記移動レンズ体を被写体側位置に停止させ、
前記コイルへの電流供給を停止したとき、前記弾性部材の弾性力によって前記移動レンズ体を前記静止位置に向けて移動させるとともに、前記マグネットと前記磁性部材との間に発生する磁気吸引力によって当該移動レンズ体を前記静止位置に保持することを特徴とするレンズ駆動装置。
【請求項２】
前記磁性部材は、レンズ光軸と同軸状に配置されていることを特徴とする請求項１記載のレンズ駆動装置。
【請求項３】
レンズを備えた移動レンズ体と、前記移動レンズ体をレンズ光軸方向に移動可能に支持する固定体と、前記移動レンズ体をレンズ光軸方向に移動させる駆動機構と、を有するレンズ駆動装置において、
前記駆動機構は、前記移動レンズ体に保持されたコイルと、前記固定体に保持されたマグネットと、前記マグネットより被写体が位置する側で前記移動レンズ体と前記固定体との間に取り付けられ、前記移動レンズ体が静止位置から被写体側に移動しようとしたときに当該移動に抗する弾性力を前記移動レンズ体に印加する弾性部材と、を備え、
前記弾性部材は、磁性部材であり、
前記コイルに電流を供給して前記移動レンズ体を前記静止位置から被写体側に移動させる電磁力を発生させたときに、当該電磁力と前記弾性力とが釣り合って前記移動レンズ体を被写体側位置に停止させ、
前記コイルへの電流供給を停止したとき、前記弾性部材の弾性力によって前記移動レンズ体を前記静止位置に向けて移動させるとともに、前記マグネットと前記磁性部材からなる前記弾性部材との間に発生する磁気吸引力によって当該移動レンズ体を前記静止位置に保持することを特徴とするレンズ駆動装置。
【請求項４】
前記マグネットより被写体が位置する側で前記移動レンズ体と前記固定体との間に取り付けられた第１弾性部材と、前記マグネットより被写体が位置する側とは反対側で前記移動レンズ体と前記固定体との間に取り付けられた第２弾性部材と、を備え、
前記第１弾性部材と前記第２弾性部材のうち、前記第１弾性部材が前記磁性部材としての前記弾性部材であることを特徴とする請求項３記載のレンズ駆動装置。
【請求項５】
前記レンズの光軸方向において、前記マグネットと前記磁性部材との間に前記コイルが配置されていることを特徴とする請求項１乃至４の何れか一項記載のレンズ駆動装置。
【発明の詳細な説明】
【技術分野】
【０００１】
本発明は、レンズを光軸方向に変位駆動して被写体の像を結像させるレンズ駆動装置に関するものである。
【背景技術】
【０００２】
近年、カメラが搭載されたカメラ付き携帯電話機が普及するにつれ、その携帯電話機を用いて様々な被写体を撮影する機会が増えている。例えば、友人や風景など、カメラのレンズからある程度離れた被写体を撮影（通常撮影）したり、バスの時刻表や花びらなど、カメラのレンズと近接した位置にある被写体を撮影（接写撮影）したりする場合がある。
【０００３】
接写撮影（マクロ撮影）の場合、カメラのレンズ位置は、通常撮影時のレンズ位置よりも、被写体側に近づいた位置にする必要がある。そのため、この種の撮影レンズ系では、レンズを光軸方向に変位駆動する駆動機構を備えており、スイッチの切り替えによってこの駆動機構を駆動し、レンズを光軸方向に移動させることができるようになっている（例えば特許文献１，２参照）。
【０００４】
特許文献１に開示されたレンズ駆動装置は、コイルを通電して生じる電磁力によって、レンズ支持体をレンズの光軸方向に移動させる、というものである。そして、コイルを通電していない状態では、２個のスプリングによって、レンズ支持体が基台に付勢（押圧）されている。これにより、カメラ非使用時において、レンズ支持体に揺れやガタツキが生じにくく、耐衝撃性に向上させることができる。
【０００５】
一方、特許文献２に開示されたレンズ駆動装置は、コイルを通電して生じる電磁力によって、レンズホルダをレンズの光軸方向に移動させる、というものであり、レンズホルダの動きを規制するホルダ当接部と、レンズホルダを付勢するホルダバネと、を有している。ホルダ当接部は、ホルダバネが中立状態となる位置を含まないようにして、レンズホルダの可動範囲を規制している。これにより、レンズホルダに対して、ホルダバネの付勢力が常に加えられることになり、ひいては耐衝撃性を向上させることができる。
【特許文献１】特開２００５−１２８３９２号公報（段落番号００１４）
【特許文献２】特開２００５−１６５０５８号公報（段落番号００１２）
【発明の開示】
【発明が解決しようとする課題】
【０００６】
しかしながら、特許文献１及び特許文献２に開示されたレンズ駆動装置は、上述のとおり、バネの付勢力を頼りにレンズユニット（上述したレンズ支持体或いはレンズホルダ）を保持していることから、位置精度が不安定になる、という問題がある。
【０００７】
すなわち、プレス加工によって製造されたバネは、歪やバリが生じるのが一般的であり、バネ定数のバラツキは、結果として位置精度を不安定化させる。この点、エッチングによって製造されたバネであれば、ある程度はバネ定数のバラツキを抑えることができるが、生産性が悪いので、製造コストの上昇を招いてしまう。
【０００８】
本発明は、以上の点に鑑みてなされたものであり、その目的は、レンズユニットの静止位置精度を安定化させることが可能なレンズ駆動装置を提供することにある。
【課題を解決するための手段】
【０００９】
上記課題を解決するために、本発明では、レンズを備えた移動レンズ体と、前記移動レンズ体をレンズ光軸方向に移動可能に支持する固定体と、前記移動レンズ体をレンズ光軸方向に移動させる駆動機構と、を有するレンズ駆動装置において、前記駆動機構は、前記移動レンズ体に保持されたコイルと、前記固定体に保持されたマグネットと、前記移動レンズ体と前記固定体との間に取り付けられ、前記移動レンズ体が静止位置から被写体側に移動しようとしたときに当該移動に抗する弾性力を前記移動レンズ体に印加する弾性部材と、前記マグネットより被写体が位置する側で前記移動レンズ体に保持された磁性部材と、を備え、前記コイルに電流を供給して前記移動レンズ体を前記静止位置から被写体側に移動させる電磁力を発生させたときに当該電磁力と前記弾性力とが釣り合って前記移動レンズ体を被写体側位置に停止させ、前記コイルへの電流供給を停止したとき、前記弾性部材の弾性力によって前記移動レンズ体を前記静止位置に向けて移動させるとともに、前記マグネットと前記磁性部材との間に発生する磁気吸引力によって当該移動レンズ体を前記静止位置に保持することを特徴とする。
【００１０】
本発明において、駆動機構は、前記移動レンズ体に保持されたコイルと、前記固定体に保持されたマグネットと、前記コイルに電流を供給して電磁力を発生させたとき、当該電磁力に基づく前記移動レンズ体の移動を規制する弾性部材と、前記移動レンズ体に保持されて前記マグネットに磁気吸引される磁性部材と、を備えていることとしたので、磁性部材とマグネットとの間で磁気吸引力が働くことになる。
【００１１】
従って、例えばマクロ撮影時には、コイルによる電磁力と弾性部材による弾性力とが釣り合って、移動レンズ体を適切な位置に停止させることができる一方で、例えば通常撮影時（或いはカメラ非使用時）には、磁性部材とマグネットとの間で働く磁気吸引力によって、移動レンズ体を保持させることができる。特に、本発明は、上述した従来のレンズ駆動装置とは異なり、バネの付勢力を頼りに移動レンズ体を保持するものではなく、安定性の高い磁気吸引力を頼りに移動レンズ体を保持するものである。従って、移動レンズ体の静止位置精度のバラツキを抑えて、これを安定化させることができる。また、磁性部材は、マグネットよりも被写体側に配置されているので、移動レンズ体は、マクロ撮影時に移動する側とは反対側に吸引される。このため、通常撮影時（或いはカメラ非使用時）において、磁性部材とマグネットとの間で働く磁気吸引力によって、移動レンズ体を保持させることができ、ひいては移動レンズ体の静止位置精度を安定化させることができる。
【００１２】
ここで、移動レンズ体の移動向きとは反対向きの力を発生させる手段としては、その力が、移動レンズ体の移動量に応じて変化するものが好ましい。例えば、板バネ、コイルバネ、磁気バネ、ゴム等の弾性部材であってもよいし、また、固定体にＮ極（Ｓ極）の磁石を設置し、移動レンズ体にＮ極（Ｓ極）の磁石を設置して、両者の磁気的反発力を利用したものであってもよいし、その種類の如何は問わない。
【００１３】
また、本発明でいう「磁性部材」は、マグネットとの間で多少なりとも磁気吸引力が働くものであれば、如何なるものであっても構わない。例えば、一般的に非磁性の性質が知られている部材であっても、マグネットとの間で少しでも磁気吸引力が働けば、「磁性部材」に含まれるものとする。また、「磁性部材」の形状・種類・大きさの種類の如何は問わない。
【００１４】
本発明において、前記磁性部材は、レンズの光軸と同軸に配置されていることが好ましい。
【００１５】
本発明によれば、上述した磁性部材は、レンズの光軸と同軸に配置されているので、マグネットとの間で磁気吸引力を安定して発生させることができる。
【００１８】
本発明の別の形態では、レンズを備えた移動レンズ体と、前記移動レンズ体をレンズ光軸方向に移動可能に支持する固定体と、前記移動レンズ体をレンズ光軸方向に移動させる駆動機構と、を有するレンズ駆動装置において、前記駆動機構は、前記移動レンズ体に保持されたコイルと、前記固定体に保持されたマグネットと、前記マグネットより被写体が位置する側で前記移動レンズ体と前記固定体との間に取り付けられ、前記移動レンズ体が静止位置から被写体側に移動しようとしたときに当該移動に抗する弾性力を前記移動レンズ体に印加する弾性部材と、を備え、前記弾性部材は、磁性部材であり、前記コイルに電流を供給して前記移動レンズ体を前記静止位置から被写体側に移動させる電磁力を発生させたときに、当該電磁力と前記弾性力とが釣り合って前記移動レンズ体を被写体側位置に停止させ、前記コイルへの電流供給を停止したとき、前記弾性部材の弾性力によって前記移動レンズ体を前記静止位置に向けて移動させるとともに、前記マグネットと前記磁性部材からなる前記弾性部材との間に発生する磁気吸引力によって当該移動レンズ体を前記静止位置に保持することを特徴とする。
【００１９】
本発明において、駆動機構は、前記移動レンズに保持されたコイルと、前記固定体に保持されたマグネットと、前記コイルに電流を供給して電磁力を発生させたとき、当該電磁力に基づく前記移動レンズ体の移動を規制し、かつ、マグネットに磁気吸引される弾性部材を設けることとしたので、弾性部材とマグネットとの間で磁気吸引力が働くことになる。
【００２０】
従って、例えば通常撮影時（或いはカメラ非使用時）に、バネの付勢力に頼ることなく、安定性の高い磁気吸引力を頼りにして、移動レンズ体を保持することができるので、移動レンズ体の静止位置精度のバラツキを抑えることができ、ひいては移動レンズ体の静止位置精度を安定化させることができる。
【００２１】
本発明において、前記マグネットより被写体が位置する側で前記移動レンズ体と前記固定体との間に取り付けられた第１弾性部材と、前記マグネットより被写体が位置する側とは反対側で前記移動レンズ体と前記固定体との間に取り付けられた第２弾性部材と、を備え、前記第１弾性部材と前記第２弾性部材のうち、前記第１弾性部材が前記磁性部材としての前記弾性部材である構成を採用することができる。
【００２２】
本発明においては、前記第１弾性部材及び前記第２弾性部材のうち、第１弾性部材について前記マグネットに磁気吸引される部材からなる構成としたので、第１弾性部材とマグネットとの間で磁気吸引力が働くことになる。従って、第１弾性部材又は第２弾性部材のうち、被写体側の弾性部材（例えば第１弾性部材）をマグネットに吸引させることで、通常撮影時（或いはカメラ非使用時）に、安定性の高い磁気吸引力を頼りに移動レンズ体を保持することができ、ひいては移動レンズ体の静止位置精度を安定化させることができる。
【００２３】
本発明では、前記レンズの光軸方向において、前記マグネットと前記磁性部材との間に前記コイルが配置されている構成を採用することができる。
【発明の効果】
【００２４】
本発明に係るレンズ駆動装置によれば、例えば通常撮影時（或いはカメラ非使用時）に、安定性の高い磁気吸引力を頼りに移動レンズ体を保持することとしたので、移動レンズ体の静止位置精度のバラツキを抑えることができ、ひいては移動レンズ体の静止位置精度を安定化させることができる。
【発明を実施するための最良の形態】
【００２５】
以下、本発明を実施するための最良の形態について、図面を参照しながら説明する。
【００２６】
［実施の形態１］
（機械構成）
図１は、本発明の実施の形態に係るレンズ駆動装置１０の機械構成を示す断面図である。より具体的には、図１（ａ）は、レンズ駆動装置１０をレンズの光軸Ｘの方向に切断したときの断面図であって、図１（ｂ）は、図１（ａ）の断面図で示されるレンズ駆動装置１０において、Ａ−Ａ'の一点鎖線で切断したときの平面断面図である。なお、図１（ａ）において、説明の便宜上、上を被写体に近い前側とする。
【００２７】
図１において、レンズ駆動装置１０は、固定体の一部に相当するカバーホルダ１１と、移動レンズ体の一部に相当するスリーブ１５とから主に構成されている。スリーブ１５の内部には、光軸Ｘがその中心に位置することになる略円筒形状の鏡筒１２が取り付けられ（図１では図示せず。図２参照）、その鏡筒１２の内部にはレンズ１２ａが備えられている（図２参照）。なお、レンズ１２ａは、一般的には複数枚のレンズが組み合わされて構成される。
【００２８】
カバーホルダ１１とホルダ受け１９は嵌め込み可能であって（図２参照）、これらによって円筒状のヨーク１６が固定されており、カバーホルダ１１、ホルダ受け１９およびヨーク１６によって固定体が構成されている。そして、このヨーク１６の内周面には、リング状に形成されたマグネット１７が固着されている。すなわち、マグネット１７は、ヨーク１６の内周面から内側に突出するように、ヨーク１６に固着されている（図２参照）。そして、光軸Ｘの方向と直交する方向に着磁されている。なお、ヨーク１６は、例えば鋼板などの強磁性体からなる。
【００２９】
スリーブ１５の外周には、前側に、リング状に形成された第１コイル１４１が固着されており、後ろ側に、リング状に形成された第２コイル１４２が固着されている。すなわち、スリーブ１５の外周において、マグネット１７よりも前側に、このマグネット１７に対向するように第１コイル１４１が配置されており、この第１コイル１４１との関係で光軸Ｘの方向にマグネット１７が介在するように、第２コイル１４２が配置されている。その結果、第１コイル１４１の後端面とマグネット１７の前端面とが対向し、第２コイル１４２の前端面とマグネット１７の後端面とが対向している。なお、スリーブ１５に固着された第１コイル１４１及び第２コイル１４２は、ヨーク１６に対して光軸Ｘの方向に相対移動が可能となっている。
【００３０】
マグネット１７のＮ極から出た磁束は、例えば、スリーブ１５，第１コイル１４１，ヨーク１６を通過して、再びマグネット１７に戻ってくる。また、マグネット１７のＮ極から出た磁束は、例えば、スリーブ１５，第２コイル１４２，ヨーク１６を通過して、再びマグネット１７に戻ってくる。従って、第１コイル１４１，第２コイル１４２，ヨーク１６，スリーブ１５といった部材によって、磁気回路（磁路）が形成されることになる。この場合、スリーブ１５の材料としては、磁性材料を用いることが好ましい。
【００３１】
第１コイル１４１と第２コイル１４２の対向面間距離は、マグネット１７の光軸Ｘの方向の厚さよりも大きく、マグネット１７と第１コイル１４１（又は第２コイル１４２）との間には、光軸Ｘの方向に間隙が生じていて、この間隙の範囲内で、第１コイル１４１及び第２コイル１４２と一体化されたスリーブ１５が、光軸Ｘの方向に移動することができる。そして、ヨーク１６は、光軸Ｘの方向の長さが、第１コイル１４１と第２コイル１４２の対向面間距離よりも長くなるように形成されている。これにより、マグネット１７と第１コイル１４１（又は第２コイル１４２）間で磁路から漏れ出る漏れ磁束を少なくすることができ、スリーブ１５の移動量と第１コイル１４１（及び第２コイル１４２）に流す電流との間のリニアリティを向上させることができる。
【００３２】
カバーホルダ１１の前側の中央には、被写体からの反射光をレンズ１２ａ（図２参照）に取り込むための円形の入射窓１８が設けられている。また、レンズ駆動装置１０には、スリーブ１５の移動を規制する板バネ１３１（第１弾性部材）及び板バネ１３２（第２弾性部材）が設けられている。このうち、板バネ１３２について、図１（ｂ）を用いて詳細に説明する。図１（ｂ）において、ホルダ受け１９に取り付けられた板バネ１３２は、ホルダ受け１９に形成された回転防止溝１９ａと係合している。これにより、板バネ１３２が回転するのを防いでいる。
【００３３】
板バネ１３２は、電流を流す金属製のバネであって、最も内側の円周部分１３２ａに、スリーブ１５の後端が載置されるようになっている。また、円周部分１３２ａには、第２コイル１４２を通電するための端子１３２ｂが３箇所形成されており（図１（ｂ）参照）、端子１３２ｂを通じて第２コイル１４２に電流を供給することができる。
【００３４】
なお、ここでは詳細な説明を省略するが、板バネ１３１についても板バネ１３２と同様に、第１コイル１４１を通電するための端子が形成されており、その端子を通じて第１コイル１４１に電流を流すことができる。これにより、板バネ１３１及び板バネ１３２を、第１コイル１４１及び第２コイル１４２の通電用配線として機能させることができ、ひいてはレンズ駆動装置１０の電気回路構成（回路配線）を容易にし、レンズ駆動装置１０全体の小型化を図ることができる。
【００３５】
また、本実施形態では、スリーブ１５に、第１コイル１４１及び第２コイル１４２の通電用配線２０を設けている（図１（ａ）参照）。これにより、第１コイル１４１に流れる電流と第２コイル１４２に流れる電流とを等しくすることができ、電流制御が容易となる。
【００３６】
ここで、レンズ駆動装置１０には、図１（ａ）に示すように、円環形状の磁性部材３０が、第１コイル１４１を挟んでマグネット１７とは反対側に配置されている。また、磁性部材３０は、光軸Ｘと同軸に配置されている。従って、磁性部材３０とマグネット１７との間には磁気吸引力が働いており、スリーブ１５を保持することができるようになっている。この保持動作については、後述する（保持動作）において詳述する。次に、レンズ駆動装置１０の組み立て方法について説明する。
【００３７】
（製造方法）
図２は、本発明の実施の形態に係るレンズ駆動装置１０の組み立て方法を説明するための分解斜視図である。なお、後述する本発明の他の実施の形態に係るレンズ駆動装置１０Ａも、同様の組み立て方法を採用することができる。なお、第１コイル１４１及び第２コイル１４２は、予めスリーブ１５の外周に固着させておくとともに、レンズ１２ａを有する鏡筒１２は、予めスリーブ１５の内部に組み込んでおくものとする。また、マグネット１７は、予めヨーク１６の内周面に固着させておくものとする。なお、マグネット１７及びヨーク１６は、光軸Ｘの方向に割れ目が入っており、２個に分割可能となっている。
【００３８】
図２において、まず、板バネ１３２を、ホルダ受け１９に形成された回転防止溝１９ａと係合するように、ホルダ受け１９に取り付ける。次に、第１コイル１４１の上方（或いは上面）に、円環形状の磁性部材３０を取り付ける。この際、磁性部材３０をスリーブ１５の上端に固着させてもよい。次に、マグネット１７及びヨーク１６を２個に分割し、スリーブ１５の外周に固着された第１コイル１４１と第２コイル１４２との間にマグネット１７が介在するようにして、マグネット１７及びヨーク１６を再び一体化（固着）させる。そして、スリーブ１５が内部に組み込まれたヨーク１６を、ホルダ受け１９に固定する。このとき、スリーブ１５の後端は、板バネ１３２の最も内側の円周部分１３２ａに載置される。最後に、板バネ１３１を、その最も内側の円周部分がスリーブ１５の前端に当接するように載置した後、カバーホルダ１１をホルダ受け１９と係合させる。このようにして、図１（ａ）に示すレンズ駆動装置１０を組み立てることができる。なお、板バネ１３１及び板バネ１３２には、ラジアル方向外側に舌状のものが形成されており、これは、コイルへの給電部となる。
【００３９】
（保持動作）
図３は、レンズ駆動装置１０において、スリーブ１５が保持される様子を説明するための説明図である。なお、図３（ａ）及び図３（ｂ）は、図１（ａ）において、光軸Ｘより右半分に着目したときの機械構成を示している。また、マグネット１７は、ラジアル方向内向きがＮ極、ラジアル方向外向きがＳ極となるように着磁されている。
【００４０】
図３（ａ）において、マグネット１７のＮ極から出た磁束は、スリーブ１５→第１コイル１４１→ヨーク１６の順番で通過している。また、マグネット１７のＮ極から出た磁束は、スリーブ１５→第２コイル１４２→ヨーク１６の順番で通過している。このような状態において、図３（ａ）では、第１コイル１４１及び第２コイル１４２に同方向の電流を流しているので（例えば紙面の「奥」から「手前」へと電流を流しているので）、磁界の中におかれた通電中の第１コイル１４１及び第２コイル１４２は、それぞれ上向き（前側）の電磁力ＦHを受けている（図３（ａ）内の矢印参照）。これにより、第１コイル１４１及び第２コイル１４２が固着されたスリーブ１５は、前側に移動している。
【００４１】
なお、本実施形態では、上述したように、スリーブ１５に通電用配線２０を設けており、第１コイル１４１に流れる電流と第２コイル１４２に流れる電流とを等しくしているので、第１コイル１４１と第２コイル１４２には、ほぼ等しい電磁力ＦHが働いている。また、レンズ駆動装置１０の大きさは小さいため（例えば、外径略１０ｍｍ×高さ略５ｍｍ）、第１コイル１４１を通過する磁束と第２コイル１４２を通過する磁束とは、ほぼ等しいものと考えられる。
【００４２】
一方で、板バネ１３１とスリーブ１５の前端との間、板バネ１３２とスリーブ１５の後端との間には、それぞれスリーブ１５の移動を規制する力（弾性力ＦS1、弾性力ＦS2）が発生している（図３（ａ）の矢印参照）。このため、図３（ａ）では、スリーブ１５を前側に移動させようとする電磁力ＦH＋ＦHと、スリーブ１５の移動を規制する弾性力ＦS1＋ＦS2とが釣り合って、スリーブ１５が停止している。
【００４３】
次に、マクロ撮影から通常撮影（カメラ非使用）に切り替えると、レンズ駆動装置１０は、図３（ａ）に示す状態から図３（ｂ）に示す状態に移る。具体的に説明すると、第１コイル１４１及び第２コイル１４２を通電していない状態では、第１コイル１４１及び第２コイル１４２に上述した電磁力ＦHは働かないため、板バネ１３１及び板バネ１３２の弾性力ＦS1，ＦS2によって、スリーブ１５は元の位置に戻る。
【００４４】
このとき、第１コイル１４１を介して磁性部材３０とマグネット１７との間で働く磁気吸引力Ｆm1及びＦm2によって、スリーブ１５が保持されることになる。従って、スリーブ１５に揺れやガタツキが生じるのを防ぎ、ひいては通常撮影時（カメラ非使用時）におけるレンズ１２ａや鏡筒１２等の移動レンズ体の静止位置精度のバラツキを抑えることができる。
【００４５】
特に、本実施形態に係るレンズ駆動装置１０によれば、磁性部材３０が円環形状に形成されており、光軸Ｘと同軸に配置されていることから、磁性部材３０とマグネット１７と間の磁気吸引力に偏りが生じず、第１コイル１４１の周方向全ての位置において磁気吸引力を安定して発生させることができる。従って、レンズ１２ａや鏡筒１２等の移動レンズ体の静止位置精度を、より安定化させることができる。なお、磁性部材３０の光軸Ｘ方向の厚さは、磁気吸引力の強弱を調整するために、種々変更可能である。
【００４６】
また、本実施形態に係るレンズ駆動装置１０では、磁性部材３０の外径は、第１コイル１４１の内径と外径の凡そ中間の値となっている（図１又は図２参照）。これにより、磁性部材３０とヨーク１６との間でラジアル方向の磁気吸引力が働くのを抑えることができ、ひいてはレンズ１２ａや鏡筒１２等の移動レンズ体が光軸Ｘに対して偏心するのを防ぐことができる。なお、このような観点からすれば、磁性部材３０の外径は、上述した中間の値よりも小さい値であることが好ましいといえる。
【００４７】
［実施の形態２］
図４は、本発明の実施の形態２に係るレンズ駆動装置１０Ａの機械構成の概略を示す図である。
【００４８】
図４において、レンズ駆動装置１０Ａでは、図３（ｂ）に示すレンズ駆動装置１０と異なり、磁性部材３０を除去し、板バネ１３１をマグネット１７に磁気吸引される磁性部材としている。これにより、第１コイル１４１を介して板バネ１３１とマグネット１７との間で働く磁気吸引力Ｆm1及びＦm2によって、スリーブ１５（移動レンズ体）が保持される。その他の構成は、実施の形態１と同様であるため、共通部分には同一の符号を付して図示し、それらの説明を省略する。
【００４９】
このように、レンズ駆動装置１０Ａによれば、スリーブ１５に揺れやガタツキが生じるのを防ぐことができ、ひいては通常撮影時（カメラ非使用時）におけるレンズ１２ａや鏡筒１２等の移動レンズ体の静止位置精度のバラツキを抑えることができる。
【００５０】
なお、板バネ１３１は、上述のとおり、第１コイル１４１を通電するための端子（ターミナル）としての機能を有していることに鑑みれば、その材質は、例えば銅系或いはリン系の磁性ステンレスであることが好ましい。
【００５１】
［その他の実施の形態］
図５（ａ）、（ｂ）、本発明の他の実施の形態に係るレンズ駆動装置１０Ｂ，１０Ｃの機械構成の概略を示す図である。
【００５２】
図５（ａ）、（ｂ）に示すように、レンズ駆動装置１０Ｃ，１０Ｄでは、図３（ｂ）および図４を参照して説明したレンズ駆動装置１０Ａ，１０Ｂと異なり、スリーブ１５（移動レンズ体）には、マグネット１７に対して被写体側のみにコイル１４１が保持され、マグネット１７に対してホルダ受け１９の側にはコイル１４１が保持されていない。
【００５３】
このように構成したレンズ駆動装置１０Ｃ，１０Ｄのうち、レンズ駆動装置１０Ｃでは、磁性部材３０とマグネット１７との間で働く磁気吸引力Ｆm1及びＦm2によって、スリーブ１５が保持されることになる。また、板バネ１３１とマグネット１７との間で働く磁気吸引力Ｆm1及びＦm2によって、スリーブ１５（移動レンズ体）が保持される。その他の構成は、実施の形態１、２と同様であるため、共通部分には同一の符号を付して図示し、それらの説明を省略する。
【００５４】
上記の実施の形態では、コイルとマグネットがレンズ光軸方向に配置されていたが、コイルおよびマグネットのうちの一方が移動レンズ体の外周面に保持され、他方が固定体の内周面に保持されている構成を採用してもよい。
【００５５】
また、磁性部材３０は円環形状に限定されるものではない。例えば、複数の磁性部材をレンズ光軸と同軸状、すなわち、周方向で等角度間隔に配置してもよい。具体的には、ボール状、ワイヤ状、棒状等の磁性部材があり、このような磁性部材とマグネットとの間に作用する磁気的な付勢力を移動レンズ体に印加する構成を採用してもよい。また、ボール状、ワイヤ状、棒状等の磁性部材については、レンズ光軸が複数の磁性部材の中心に位置するように配置するのであれば、レンズ光軸の周りにおいて等角度間隔からずれた位置に複数の磁性部材を配置してもよい。さらに、ボール状、ワイヤ状、棒状等の磁性部材については、レンズ光軸の周りで数や大きさが異なるように配置して移動レンズ体の傾き調整に利用してもよい。
【００５６】
［レンズ駆動装置の利用例］
以上説明したようなレンズ駆動装置は、カメラ付き携帯電話機の他にも、様々な電子機器に取り付けることが可能である。例えば、ＰＨＳ，ＰＤＡ，バーコードリーダ，薄型のデジタルカメラ，監視カメラ，車の背後確認用カメラ，光学的認証機能を有するドア等である。
【産業上の利用可能性】
【００５７】
本発明に係るレンズ駆動装置は、レンズユニットの静止位置精度を安定化させることが可能なものとして有用である。
【図面の簡単な説明】
【００５８】
【図１】本発明の実施の形態に係るレンズ駆動装置の機械構成を示す断面図である。
【図２】本発明の実施の形態に係るレンズ駆動装置の組み立て方法を説明するための分解斜視図である。
【図３】レンズ駆動装置において、スリーブが保持される様子を説明するための説明図である。
【図４】本発明の他の実施の形態に係るレンズ駆動装置の機械構成の概略を示す図である。
【図５】本発明の他の実施の形態に係るレンズ駆動装置の機械構成の概略を示す図である。
【符号の説明】
【００５９】
１０，１０Ａ，１０Ｂ，１０Ｃ  レンズ駆動装置
１１  カバーホルダ（固定体）
１２  鏡筒
１２ａ  レンズ
１３１，１３２  板バネ
１４１，１４２  第１コイル，第２コイル（弾性部材／規制部材）
１５  スリーブ（移動レンズ体）
１６  ヨーク（固定体）
１７  マグネット
１８  入射窓
１９  ホルダ受け（固定体）
３０  磁性部材
【図１】
0004719107.tif 000002
【図２】
0004719107.tif 000003
【図３】
0004719107.tif 000004
【図４】
0004719107.tif 000005
【図５】
0004719107.tif 000006